(57)【要約】【課題】台紙なしラベルにレイアウトされる印字項目に入力される印字データ量に応じて印字項目の発行方向の長さが自動的に変更される台紙なしラベルプリンタ−を提供することを課題とする。【解決手段】レイアウトファイルのそれぞれの印字項目の伸長フラグに１を入力すると印字方向の長さを設定する必要がなくなり、印字データ量、すなわちレイアウトされた文字項目に入力される文字数に応じて自動的に印字方向の長さが設定される。このように、入力される印字データ量に応じてそれぞれの印字項目を印字方向に伸長自在とさせる設定手段が構成される。【選択図】図６
2016210087.tif 000002
【特許請求の範囲】
【請求項１】
台紙なしラベルにレイアウトされる印字項目に基づいて印字を行う印字部と、印字方向に対して最後列の印字項目から所定のスペースをおいて台紙なしラベルをカットするカット部を備えた台紙なしラベルプリンターにおいて、
前記印字項目がレイアウトされるフォーマットを記憶するレイアウト記憶手段と、前記レイアウトされた印字項目に入力される印字データを記憶する商品記憶手段と、該入力される印字データ量に応じて印字項目を長手方向に伸長自在にする設定手段とを備え、該設定手段によって伸長自在とされた印字項目の伸長量に応じて印字方向に対して最後列の印字項目から所定のスペースを維持したまま台紙なしラベルをカットすることを特徴とする台紙なしラベルプリンターである。
【請求項２】
前記設定手段によって長手方向に伸長自在とされた印字項目に入力される印字データがなかった場合は、該印字項目がレイアウトされなかったと見なして以降の印字項目を詰めて印字し、印字方向に対して最後列の印字項目から所定のスペースを維持したまま台紙なしラベルをカットすることを特徴とする請求項１に記載の台紙なしラベルプリンターである。
【発明の詳細な説明】
【技術分野】
【０００１】
本発明は、台紙なしラベルに商品名や価格などの印字項目をレイアウトして、各印字項目に入力された印字データを印字して所定の長さにカットする台紙なしラベルプリンターに関するものである。
【背景技術】
【０００２】
従来、ライナーレスラベルでラベルを発行する場合、印字データ量によって印字項目がラベルの発行方向に長くなったり短くなったりしても、入力された印字データ量と予め設定した印字範囲とを比較して空白が生ずる場合、これ以降の印字項目を前に詰めてカットしてラベルを節約したり見映えを良くしている台紙レスラベルプリンタが知られている。（特許文献１参照）。
【０００３】
また、入力された印字データ量に応じて印字項目を搬送方向に変更するかどうかを位置変更許否フラグで設定し、変更許可する場合に変更する  ことができる変更手段を備えた台紙レスラベルプリンタも知られている。（特許文献２参照）。
【先行技術文献】
【特許文献】
【０００４】
【特許文献１】特開２０１２−  ９１４１２号公報
【特許文献２】特開２０１２−  ９６３８７号公報
【発明の概要】
【発明が解決しようとする課題】
【０００５】
しかしながら、特許文献１および特許文献２に記載の台紙レスラベルプリンタは、予め印字項目に設定された印字範囲と入力される印字データ量とを比較することによって以降の印字項目を前に詰めるかどうかを判断していて処理が煩雑であった。また、入力される印字データがない場合は、どのように処理されるか不明であった。
【０００６】
本発明は、上記問題に鑑みてなされたものであって、台紙なしスラベルにレイアウトされる印字項目に入力される印字データ量に応じて印字項目の長手方向の長さが自動的に変更される台紙なしラベルプリンタ−を提供することを目的とする。
【課題を解決するための手段】
【０００７】
上記の課題を解決するために請求項１に記載の台紙なしラベルプリンタ−は、台紙なしラベルにレイアウトされる印字項目に基づいて印字を行う印字部と、印字方向に対して最後列の印字項目から所定のスペースをおいて台紙なしラベルをカットするカット部を備えた台紙なしラベルプリンターにおいて、前記印字項目がレイアウトされるフォーマットを記憶するレイアウト記憶手段と、前記レイアウトされた印字項目に入力される印字データを記憶する商品記憶手段と、該入力される印字データ量に応じて印字項目を長手方向に伸長自在にする設定手段とを備え、該設定手段によって伸長自在とされた印字項目の伸長量に応じて印字方向に対して最後列の印字項目から所定のスペースを維持したまま台紙なしラベルをカットするものである。
【０００８】
また、上記の課題を解決するために請求項２に記載の台紙なしラベルプリンタ−は、前記設定手段によって長手方向に伸長自在とされた印字項目に入力される印字データがなかった場合は、該印字項目がレイアウトされなかったと見なして以降の印字項目を詰めて印字し、印字方向に対して最後列の印字項目から所定のスペースを維持したまま台紙なしラベルをカットするものである。
【発明の効果】
【０００９】
請求項１に記載の台紙なしラベルプリンタ−は、台紙なしラベルにレイアウトされる印字項目に基づいて印字を行う印字部と、印字方向に対して最後列の印字項目から所定のスペースをおいて台紙なしラベルをカットするカット部を備えた台紙なしラベルプリンターにおいて、前記印字項目がレイアウトされるフォーマットを記憶するレイアウト記憶手段と、前記レイアウトされた印字項目に入力される印字データを記憶する商品記憶手段と、該入力される印字データ量に応じて印字項目を長手方向に伸長自在にする設定手段とを備え、該設定手段によって伸長自在とされた印字項目の伸長量に応じて印字方向に対して最後列の印字項目から所定のスペースを維持したまま台紙なしラベルをカットするので、印字項目の中に空白部が生ずることなくライナーレスラベルを節約することができ、また、全体のレイアウトを損ねることがない。
【００１０】
また、請求項２に記載の台紙なしラベルプリンタ−は、前記設定手段によって長手方向に伸長自在とされた印字項目に入力される印字データがなかった場合は、該印字項目がレイアウトされなかったと見なして以降の印字項目を詰めて印字し、印字方向に対して最後列の印字項目から所定のスペースを維持したまま台紙なしラベルをカットするので、請求項１と同様な効果を奏する。
【図面の簡単な説明】
【００１１】
【図１】本発明に係る台紙なしラベルプリンタ−の概略断面図である。
【図２】本発明に係る台紙なしラベルプリンタ−の制御部の構成を示すブロック図である。
【図３】本発明に係る台紙なしラベルプリンタ−に記憶されているレイアウトファイルのデータ構成図である。
【図４】本発明に係る台紙なしラベルプリンタ−に記憶されている商品ファイルのデータ構成図である。
【図５】本発明に係る台紙なしラベルプリンタ−のラベル発行の動作を説明するためのフローチャートである。
【図６】本発明に係る台紙なしラベルプリンタ−で印字されたラベルの平面図である。
【発明を実施するための形態】
【００１２】
以下の実施例にて、本発明に係る台紙なしラベルプリンタ−について実施例に基づいて詳述する。なお、本発明については、実施例の詳細な説明だけに限定されるものでなく、本発明の要旨を逸脱しない範囲で適宜変更可能である。
【実施例】
【００１３】
本実施例では、ロール状に巻回された台紙なしラベルに印字する台紙なしラベルプリンタ−について説明する。図１は、本発明に係る台紙なしラベルプリンタ−の概略断面図である。図１において、台紙なしラベルプリンター１は、カバー１ａが上流側にあるヒンジ部１ｃ回りに本体フレーム１ｂに対して回動するようになっている。また、台紙なしラベル２は、本体フレーム１ｂの上流側に設けられた収納部３に装填されている。
【００１４】
印字部は、サーマルヘッド４とプラテンローラー５とで構成され、サーマルヘッド４がプラテンローラー５に弾接されるように配設され、サーマルヘッド４とプラテンローラー５とで台紙なしラベル紙２を挟持して印字しながらフィードする。そして、印字が終了して台紙なしラベル２のカットライン２３を印字部の下流側に配設されたカッター６の位置までフィードしてカットする。ここで、カッター６は、上下の固定刃と可動刃とで構成されている。
【００１５】
印字された台紙なしラベル２がカッター６の位置を通過した位置までフィードされたかどうかを検知するラベルセンサー７がカッター６のやや下流側に設けられている。また、台紙なしラベル２が装填された収納部３と印字部との間に台紙なしラベル２を下方にテンションを掛けて張設させる押さえローラー８が配設されている。
【００１６】
図２は、本発明に係る台紙なしラベルプリンタ−の制御部の構成を示すブロック図である。図２において、台紙なしラベルプリンター１は、制御部９によって各部が制御される。ここで、制御部９は、主としてＣＰＵ１０、フラッシュメモリー１１、ＲＡＭ１２、モーターコントローラー１３、印字コントローラー１４、センサーコントローラー１５、外部インターフェース１６、インターフェース１７とで構成され、各部はバスライン１８を介してＣＰＵ１０に接続されている。
【００１７】
ＣＰＵ１０は、フラッシュメモリー１１に記憶されている台紙なしラベルプリンター１の各部を制御する制御プログラムや各種処理を行うためのアプリケーションプログラムによって、台紙なしラベルプリンター１の各部を制御したり各種処理を行ったりする。ＲＡＭ１２は、ＣＰＵ１０が各種処理を実行する上で必要となる各種データを一時的に記憶したり、台紙なしラベル２に印字項目をレイアウトするフォーマットが記憶されたレイアウトファイルや印字項目に入力される印字データが記憶された商品ファイルなどが記憶されるとともに、印字データは、ドットデータに展開されて記憶される。
【００１８】
パーソナルコンピューター（以下、ＰＣという。）１９で作成された印字データが外部インターフェース１６を介してＣＰＵ１０に供給され、バスライン１８を介してＲＡＭ１７のレイアウトファイルや商品ファイルなどに記憶される。また、操作部２０は、台紙なしラベルプリンター１を操作する入力部になっており、オペレーターがタッチパネルまたはキーパネルからレイアウト番号や呼出番号などを入力し、インターフェース１７とバスライン１８を介してＣＰＵ１０に供給され、各部を制御したり各種処理を行ったりする。一方、表示部２１は、操作部２０で操作された各種情報を表示する液晶ディスプレイになっており、ＣＰＵ１０からの出力情報をバスライン１８とインターフェース１７を介して表示する。
【００１９】
印字コントローラー１４は、ＲＡＭ１２に記憶された印字データのドットデータに対応して制御信号を生成し、サーマルヘッド４に供給することによって台紙なしラベル２に印字する。そして、モーターコントローラー１３で生成されたパルス信号をステッピングモーター２２に供給することによってプラテンローラー５を回転させて、サーマルヘッド４とプラテンローラー５とで挟持した台紙なしラベル２をカットライン２３がカッター６の位置に来るまでフィードしたり、カットした後で次の台紙なしラベル２を印字開始位置まで発行方向と逆方向（上流側）にバックフィードさせたりする。
【００２０】
センサーコントローラー１５は、印字終了後に台紙なしラベル紙２のカットライン２３がカッター６の位置までフィードされているかどうかを検知するラベルセンサー７からの検出信号をバスライン１８を介してＣＰＵ１０に供給し、ＣＰＵ１０は検出信号に基づいてカッター６を動作させる。
【００２１】
図３は、本発明に係る本発明に係る台紙なしラベルプリンタ−に記憶されているレイアウトファイルのデータ構成図である。図３において、レイアウト記憶手段としてのＲＡＭ１７に記憶されたレイアウトファイルには、台紙なしラベル２にレイアウトする商品名や原材料などの印字項目の印字開始位置、印字項目の幅、長手方向の印字項目の長さ、フォント種別、後述する最後列の印字項目の下端からカットライン２３までの所定のスペースＳ、長手方向のそれぞれの印字項目間のスペースＡなどをレイアウト番号に対応して設定する。通常、印字項目の印字開始位置は、台紙なしラベル２の左上を横方向（Ｘ）と縦方向（Ｙ）の基準点「０，０」として設定される。
【００２２】
印字項目としては、商品名・原材料・住所・会社名などの文字項目、バーコード、価格、日時、リサイクルマーク、画像データなどがある。また、レイアウトファイルには、文字項目の場合、予め印字範囲を設定するか後述する商品ファイルから入力される文字数によって自動的に長手方向に伸長自在とする設定手段としての伸長フラッグが定義されている。
【００２３】
図４は、本発明に係る台紙なしラベルプリンタ−に記憶されている商品ファイルのデータ構成図である。図４において、商品記憶手段としてＲＡＭ１７に記憶された商品ファイルには、台紙なしラベル２に印字される印字項目ごとに印字データが呼出番号に対応して入力されている。
【００２４】
図５は、本発明に係る台紙なしラベルプリンタ−のラベル発行の動作を説明するためのフローチャートである。図６は、本発明に係る台紙なしラベルプリンタ−で印字されたラベルの平面図である。なお、図６は、簡単に説明するために、商品名と原材料の印字項目だけがレイアウトされた場合について示されている。また、図６は、台紙なしラベルプリンター１から見て印字項目が頭出し方向（逆視方向）に印字されている場合を示している。図５において示されているステップ番号は、ＣＰＵ１０で制御されている。オペレーターによって操作部２０からＲＡＭ１７に記憶されているレイアウトファイルから印字したいレイアウト番号を選択する（ステップ１）。たとえば、レイアウト番号１を選択した場合は、商品名などの印字項目の印字開始位置情報のＹ座標を比較して最上位の印字項目を確定させる（ステップ２）。図６では、商品名の印字項目が最上位にレイアウトされている。
【００２５】
印字項目の幅と長さを入力して印字領域を予め設定するか、印字方向の長さを文字数に応じて自由に伸長させるかの設定を行う（ステップ３）。たとえば、レイアウト番号１で商品名の印字項目の伸長フラグに０と入力すると、印字項目の幅と長さを入力することができるので、印字領域が予め設定される。一方、原材料の印字項目の伸長フラグに１を入力すると長手方向の長さを設定する必要がなくなり、印字データ量、すなわちレイアウトされた文字項目に入力される文字数に応じて自動的に長手方向の長さが設定される。このように入力される印字データ量に応じてそれぞれの印字項目を長手方向に伸長自在とする設定手段が構成される。
【００２６】
次に、レイアウトされた印字項目に入力される印字データを商品ファイルから呼出番号を選択する（ステップ４）。図６の（ａ）図は、レイアウトファイルからレイアウト番号１を選択し、商品ファイルから呼出番号１を選択して商品名と原材料が印字されたラベルを示している。たとえば、商品名の印字項目の印字開始位置が左上の座標がＸ１、Ｘ２で幅Ｗ１が全角９文字分、長手方向の長さＨ１が３行分の印字領域が予め設定されている。一方、原材料の印字項目の印字開始位置が左上の座標がＸ２、Ｙ２で幅Ｗ１が全角９文字分と設定され長手方向の長さＨ１を設定する必要がないため、入力文字数によって自動的に長手方向の長さが設定される。
【００２７】
一方、図６の（ｂ）図は、レイアウトファイルからレイアウト番号２を選択し、商品ファイルから呼出番号１を選択して商品名と原材料が印字されたラベルを示している。ここでは、長手方向の長さＨ１を設定する必要がないため、入力文字数によって自動的に印字方向の長さが設定される。ここで、レイアウトファイルのレイアウト番号１とレイアウト番号２との相違は、商品名の伸長フラグが０か１かの設定の違いである。
【００２８】
次に、幅方向に印字項目のＹ座標に重複する印字項目がないかをＹ座標を比較して判断する（ステップ５）。長手方向に重複する印字項目がない場合は、この印字項目を印字する（ステップ６）。図６の（ａ）図、（ｂ）図では、幅方向に商品名の印字項目の長手方向に重複している印字項目はないので、商品名「ロースかつ弁当」と印字する。次に、Ｙ座標を比較して商品名の印字項目の下位に印字項目があるかどうかを判断する（ステップ７）。同様に、商品名の下端のＹ座標と下位の印字項目のＹ座標を比較して、図６の（ａ）図、（ｂ）図では、商品名の印字項目の下位に原材料の印字項目がレイアウトされていると判断する。
【００２９】
原材料の印字項目は、商品名の印字項目から項目間スペースＡをおいて長手方向にレイアウトされる。この項目間スペースＡは、レイアウトファイルの商品名の印字項目に設定されている。図６の（ａ）図では、予め設定された商品名の印字項目の印字領域の下辺から項目間スペースＡをおいて原材料の印字項目がレイアウトされる。一方、図６の（ｂ）図では、商品名の印字項目の下辺から項目間スペースＡをおいて原材料の印字項目がレイアウトされる。そして、商品名の印字項目の下位に原材料の印字項目があるので、ステップ３に戻って同様な処理を行う。
【００３０】
図６の（ａ）図、（ｂ）図では、原材料の印字項目の下位にレイアウトされている印字項目がないと判断されるので（ステップ７）、原材料の印字項目を最後列の印字項目と判断して印字後、台紙なしラベル２のカットライン２３をカッター６の位置までフィードする（ステップ８）。ここで、最後列の印字項目から所定のスペースＳをおいてカットライン２３が決定される。この所定のスペースＳは、レイアウトファイルに予め設定されている。そして、カッター６で台紙なしラベル２のカットライン２３をカットする。
【００３１】
次に、図６の（ｃ）図は、レイアウトファイルからレイアウト番号１を選択し、商品ファイルから呼出番号２を選択した場合を示している。ここでは、原材料の入力文字数が改行されて３行にして入力された場合を示している。すると、原材料の印字項目が自動的に長手方向に３行分伸長して、原材料の最後列からの所定のスペースＳをおいてカットライン２３が設定される。一方、図６の（ｄ）図は、レイアウトファイルからレイアウト番号２を選択し、商品ファイルから呼出番号２を選択した場合を示している。ここでは、原材料の入力文字数が改行されて３行にして入力された場合を示している。すると、原材料の印字項目が自動的に印字方向に３行分伸長して最後列からの所定のスペースＳをおいてカットライン２３が設定される。
【００３２】
次に、図６の（ｅ）図は、レイアウトファイルからレイアウト番号１を選択し、商品ファイルから呼出番号３を選択した場合を示している。ここでは、原材料の印字項目に印字データが入力されていないため、原材料の印字項目のレイアウトは設定されていないものとして、予め設定された商品名の印字領域を最後列と見なして印字領域の下辺から所定のスペースＳをおいてカットライン２３が設定される。一方、図６の（ｆ）図は、レイアウトファイルからレイアウト番号２を選択し、商品ファイルから呼出番号３を選択した場合を示している。ここでは、商品名の印字項目を最後列と見なして印字項目の下辺から所定のスペースＳをおいてカットライン２３が設定される。
【００３３】
ステップ５で長手方向に重複する印字項目がある場合は、重複した印字項目のＹ座標を比較して（ステップ１０）、長手方向に大きいＹ座標の印字項目の下辺から項目間スペースをおいて、下位の印字項目をレイアウトする。本実施例では、商品名と原材料の印字項目だけがレイアウトされた場合について示されているが、その他の印字項目、商品名・原材料・住所・会社名などの文字項目、バーコード、価格、日時、リサイクルマーク、画像データなどが印字された場合も同様である。
【００３４】
本実施例では、台紙なしラベルについて説明してあるが、台紙のないジャーナル紙やレシートなども台紙なしラベルに含まれる。また、本実施例では、レイアウトファイルのそれぞれの印字項目の設定データおよび商品ファイルのそれぞれの印字項目の入力データがＰＣ１９から送信されて台紙なしラベルプリンター１の外部インターフェース１６を介してＲＡＭ１７に記憶されているが、操作部２０から入力するようにすることもできる。
【産業上の利用可能性】
【００３５】
近年、環境に優しいラベルとして台紙なしラベルが普及しつつあるが、徐々に食品業界などにも浸透しつつある。従来の台紙付きラベルに置き換えて台紙なしラベルを装填した台紙なしラベルプリンターに広く利用することができる。
【符号の説明】
【００３６】
１    台紙なしラベルプリンター
１ａ    カバー
１ｂ    本体フレーム
１ｃ    ヒンジ部
２    台紙なしラベル
３    収納部
４    サーマルヘッド
５    プラテンローラー
６    カッター
７    ラベルセンサー
８    押さえローラー
９    制御部
１０    ＣＰＵ
１１    フラッシュメモリー
１２    ＲＡＭ
１３    モーターコントローラー
１４    印字コントローラー
１５    センサーコントローラー
１６    外部インターフェース
１７    インターフェース
１８    バスライン１８
１９    ＰＣ
２０    操作部
２１    表示部
２２    ステッピングモーター
２３    カットライン
【図１】
2016210087.tif 000003
【図２】
2016210087.tif 000004
【図３】
2016210087.tif 000005
【図４】
2016210087.tif 000006
【図５】
2016210087.tif 000007
【図６】
2016210087.tif 000008
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
台紙なしラベルにレイアウトされる印字項目に基づいて印字を行う印字部と、印字方向に対して最後列の印字項目から所定のスペースをおいて台紙なしラベルをカットするカット部を備えた台紙なしラベルプリンターにおいて、
前記印字項目がレイアウトされるフォーマットを記憶するレイアウト記憶手段と、前記レイアウトされた印字項目に入力される印字データを記憶する商品記憶手段と、該入力される印字データ量に応じて印字項目を長手方向に伸長自在にする設定手段とを備え、該設定手段によって伸長自在とされた印字項目の伸長量に応じて印字方向に対して最後列の印字項目から所定のスペースを維持したまま台紙なしラベルをカットすることを特徴とする台紙なしラベルプリンター。
【請求項２】
前記設定手段によって長手方向に伸長自在とされた印字項目に入力される印字データがなかった場合は、該印字項目がレイアウトされなかったと見なして以降の印字項目を詰めて印字し、印字方向に対して最後列の印字項目から所定のスペースを維持したまま台紙なしラベルをカットすることを特徴とする請求項１に記載の台紙なしラベルプリンター。